(57)【要約】【課題】本発明は、操作が便利であり且つ構造が簡単であるコンピューターを提供することを目的とする。【解決手段】本発明に係るコンピューターは、ハウジングと、メインスクリーンを有するモニターと、ホストと、前記ハウジングに設置されるタッチスクリーンと、を備える。【選択図】図１
2012089120.tif 000002
【特許請求の範囲】
【請求項１】
ハウジングと、
メインスクリーンを有するモニターと、
ホストと、
を備えてなるコンピューターであって、
前記ハウジングに設置されるタッチスクリーンをさらに備えることを特徴とするコンピューター。
【請求項２】
前記メインスクリーン及び前記タッチスクリーンは、前記ハウジングの同じ側に位置することを特徴とする請求項１に記載のコンピューター。
【請求項３】
前記タッチスクリーンは、使用者のタッチ操作によるタッチ軌跡を形成するために用いられ、
前記コンピューターは、判断モジュール及び起動モジュールをさらに備え、
前記判断モジュールは、前記タッチ軌跡のベクトル値が０であるかどうかを判断し、前記タッチ軌跡のベクトル値が０であると判断した場合、第一判断信号を出力し、
前記起動モジュールは、前記第一判断信号を受信してから、前記コンピューターの対応する使用機能を起動することを特徴とする請求項２に記載のコンピューター。
【請求項４】
前記判断モジュールは、前記タッチ軌跡のベクトル値が０ではないと判断した場合、第二判断信号を出力し、
前記コンピューターは、前記第二判断信号を受信してから、前記タッチ軌跡のベクトル方向を分析して、前記ベクトル方向によって前記コンピューターの対応するパラメーターの大きさを調節する処理モジュールをさらに備えることを特徴とする請求項３に記載のコンピューター。
【請求項５】
前記処理モジュールは、軌跡識別ユニット及び制御ユニットを備え、
前記軌跡識別ユニットは、前記判断モジュール及び前記タッチスクリーンに電気的に接続されて、前記第二判断信号を受信してから、前記タッチ軌跡のベクトル方向を分析して、異なる前記ベクトル方向によって異なる方向信号を出力し、
前記制御ユニットは、前記軌跡識別ユニットに電気的に接続されて、異なる前記方向信号によって異なる制御信号を出力して、前記コンピューターのパラメーターの大きさを調節することを特徴とする請求項４に記載のコンピューター。
【請求項６】
前記コンピューターのパラメーターは、前記メインスクリーンの輝度であることを特徴とする請求項５に記載のコンピューター。
【請求項７】
異なる前記方向信号は、第一方向信号及び第二方向信号を備え、
前記タッチ軌跡のベクトル方向が左から右に至る方向であると、前記軌跡識別ユニットは前記第一方向信号を生じ、前記制御ユニットは、前記第一方向信号によって第一制御信号を出力して、前記メインスクリーンの輝度を強め、
前記タッチ軌跡のベクトル方向が右から左に至る方向であると、前記軌跡識別ユニットは前記第二方向信号を生じ、前記制御ユニットは、前記第二方向信号によって第二制御信号を出力して、前記メインスクリーンの輝度を低減することを特徴とする請求項６に記載のコンピューター。
【請求項８】
前記コンピューターは、前記タッチスクリーン及び前記ホストに電気的に接続され、外界環境情報を取得して前記タッチスクリーンに表示させる補助機能モジュールをさらに備えることを特徴とする請求項１〜７のいずれか一項に記載のコンピューター。
【請求項９】
前記外界環境情報は、外界環境温度であることを特徴とする請求項８に記載のコンピューター。
【請求項１０】
前記コンピューターは、前記タッチスクリーン及び前記ホストに電気的に接続され、前記メインスクリーンに表示する内容を前記タッチスクリーンに同期して表示させる補助機能モジュールをさらに備えることを特徴とする請求項１〜７のいずれか一項に記載のコンピューター。
【発明の詳細な説明】
【技術分野】
【０００１】
本発明は、タッチスクリーンを有するコンピューターに関するものである。
【背景技術】
【０００２】
従来のコンピューターにおいて、例えば、ノートパソコン又はデスクトップパソコンは、一般的にマウス又はキーパッドなどの入力装置によってコンピューターを操作するので、操作過程が面倒であり、コンピューターの構造も複雑である。
【発明の概要】
【発明が解決しようとする課題】
【０００３】
本発明の目的は、前記課題を解決し、操作が便利であり且つ構造が簡単であるコンピューターを提供することである。
【課題を解決するための手段】
【０００４】
本発明に係るコンピューターは、ハウジングと、メインスクリーンを有するモニターと、ホストと、前記ハウジングに設置されるタッチスクリーンと、を備える。
【発明の効果】
【０００５】
本発明のコンピューターのハウジングにはタッチスクリーンが設置されており、使用者の前記タッチスクリーンに対するタッチ操作によって、前記コンピューターの１つの使用機能を起動するか又は前記コンピューターの１つのパラメーターの大きさを調節することができ、従って操作が便利であり、且つ前記タッチスクリーンでマウス又はキーパッドを取り替えて、前記コンピューターの構造が簡単になる。
【図面の簡単な説明】
【０００６】
【図１】本発明の第一実施形態に係るコンピューターの斜視図である。
【図２】図１に示すコンピューターの機能ブロック図である。
【図３】本発明の第一実施形態に係るコンピューターの処理モジュールを示す図である。
【図４】本発明の第一実施形態に係るコンピューターの補助機能モジュールを示す図である。
【図５】本発明の第二実施形態に係るコンピューターの斜視図である。
【発明を実施するための形態】
【０００７】
以下、図面を参照して、本発明の実施形態について説明する。
【０００８】
図１に示されたように、本発明の第一実施形態に係るコンピューター１０は、ハウジング２０と、メインスクリーン２２及びタッチスクリーン２４を有するモニターと、ホスト（図示せず）と、を備える。前記メインスクリーン２２及び前記タッチスクリーン２４は、前記ハウジング２０の同じ側に位置する。本実施形態において、前記コンピューター１０は、モニターとホストが一体化された一体型デスクトップパソコンであり、前記メインスクリーン２２は、ＬＣＤスクリーンであり、前記タッチスクリーン２４は、静電容量方式のタッチスクリーンであり、且つ使用者のタッチ操作によるタッチ軌跡を形成するために用いられる。他の実施形態において、前記コンピューター１０は、モニターとホストが分離した普通のデスクトップパソコン又はノートパソコンであることができ、前記タッチスクリーン２４は、抵抗膜方式又は赤外線走査方式のタッチスクリーンであることができる。
【０００９】
図２を参照すると、前記コンピューター１０は、判断モジュール４０と、起動モジュール５０と、処理モジュール６０と、補助機能モジュール７０と、をさらに備える。
【００１０】
前記判断モジュール４０は、前記タッチスクリーン２４に電気的に接続されて、前記タッチスクリーン２４に作用するタッチ軌跡のベクトル値を取得して、前記ベクトル値が０であるかどうかを判断する。前記判断モジュール４０によって前記タッチ軌跡のベクトル値が０であると判断した場合、第一判断信号を生成し、前記ベクトル値が０ではないと判断した場合、第二判断信号を生成する。具体的に説明すると、前記第一判断信号は、電圧レベルが０であるパルス信号であり、前記第二判断信号は、電圧レベルが１であるパルス信号である。例えば、使用者が手指又はタッチペンで前記タッチスクリーン２４をタッチしてから速やかに前記タッチスクリーン２４から手指又はタッチペンを放すと、前記判断モジュール４０はタッチ軌跡のベクトル値が０であると判断して、第一判断信号を生成するが、使用者が手指又はタッチペンで前記タッチスクリーン２４をタッチするとともに所定の距離をスライドすると、前記判断モジュール４０はタッチ軌跡のベクトル値が０ではないと判断して、第二判断信号を生成する。
【００１１】
前記起動モジュール５０は、前記判断モジュール４０に電気的に接続されて、前記第一判断信号を受信してから、前記コンピューター１０の１つの使用機能を起動するか又は停止する。即ち、前記起動モジュール５０の起動方式は、低電圧レベル起動である。本実施形態において、前記使用機能は前記コンピューター１０の文字処理機能であるが、他の実施形態において、前記使用機能は前記コンピューター１０の音楽放送機能又は計算機能などであることができる。
【００１２】
前記処理モジュール６０は、前記判断モジュール４０、前記タッチスクリーン２４、前記ホスト及び前記メインスクリーン２２に電気的に接続されて、前記第二判断信号を受信してから、前記タッチ軌跡のベクトル方向を分析し、且つ前記ベクトル方向によって前記コンピューター１０の１つのパラメーターを調節する。本実施形態において、前記処理モジュール６０は、タッチ軌跡のベクトル方向を識別することにより、前記コンピューター１０の１つのパラメーターを調節する。例えば、前記処理モジュール６０によって、タッチ軌跡のベクトル方向が左から右に至る方向であると識別した場合、前記コンピューター１０の１つのパラメーターを増大するが、タッチ軌跡のベクトル方向が右から左に至る方向であると識別した場合、前記パラメーターを低減する。
【００１３】
図３を参照すると、前記処理モジュール６０は、軌跡識別ユニット６２及び制御ユニット６４を備える。前記軌跡識別ユニット６２は、前記判断モジュール４０及び前記タッチスクリーン２４に電気的に接続される。前記軌跡識別ユニット６２の起動方式は、高電圧レベル起動であり、即ち、前記軌跡識別ユニット６２は、前記第二判断信号を受信してから起動される。前記軌跡識別ユニット６２は、起動されてから前記タッチスクリーン２４に作用するタッチ軌跡を取得し、且つ前記タッチ軌跡のベクトル方向を識別する。具体的に説明すると、使用者の手指が前記タッチスクリーン２４をタッチすると、前記タッチスクリーン２４の接触箇所に対応する位置に電流変化が発生し、前記軌跡識別ユニット６２は、前記電流変化情況によって前記接触箇所の座標を精確に計算し、使用者の手指が前記タッチスクリーン２４に接触するとともに所定の距離をスライドしてから前記タッチスクリーン２４から手指を放す時、前記タッチスクリーン２４の手指を放す位置に電流変化が発生し、前記軌跡識別ユニット６２は前記位置の電流変化情況によって前記位置の座標を精確に計算する。だから、前記軌跡識別ユニット６２は、手指が始めに前記タッチスクリーン２４に接触する時及び手指が前記タッチスクリーン２４の上で所定の距離をスライドしてから手指を放す時に対応する２つの接触点の座標を分析することにより、タッチ軌跡のベクトル方向を取得する。前記軌跡識別ユニット６２は、タッチ軌跡のベクトル方向が左から右に至る方向であると分析した場合、第一方向信号を出力し、タッチ軌跡のベクトル方向が右から左に至る方向であると分析した場合、第二方向信号を出力する。
【００１４】
前記制御ユニット６４は、前記軌跡識別ユニット６２及び前記メインスクリーン２２に電気的に接続されて、前記第一方向信号及び前記第二方向信号を受信し、且つ対応する第一制御信号及び第二制御信号を送信して、前記コンピューター１０の１つのパラメーターを調節するために用いられる。本実施形態において、前記コンピューター１０の１つのパラメーターは、前記メインスクリーン２２の輝度である。前記制御ユニット６４は、前記第一方向信号を受信すると、第一制御信号を送信して前記メインスクリーン２２の輝度を強め、前記第二方向信号を受信すると、第二制御信号を送信して前記メインスクリーン２２の輝度を低減する。前記制御ユニット６４は、前記メインスクリーン２２のバックライトのパワーを増加するか又は低減することにより、前記メインスクリーン２２の輝度を調節することができる。
【００１５】
前記処理モジュール６０は、前記コンピューター１０の他のパラメーターを調節することができ、前記メインスクリーン２２の輝度を調節することに限定されるものではない。例えば、前記処理モジュール６０は、放熱ファンの回転速度を調節することができる。前記軌跡識別ユニット６２によってタッチ軌跡のベクトル方向が左から右に至る方向であると分析した場合、前記制御ユニット６４は前記ホストの中の放熱ファンの回転速度を高め、前記軌跡識別ユニット６２によってタッチ軌跡のベクトル方向が右から左に至る方向であると分析した場合、前記制御ユニット６４は前記ホストの中の放熱ファンの回転速度を低減する。
【００１６】
図２及び図４を参照すると、前記タッチスクリーン２４は表示機能を有する。前記コンピューター１０は、前記タッチスクリーン２４及び前記ホストに電気的に接続される補助機能モジュール７０をさらに備える。前記補助機能モジュール７０は、表示メッセージを生じて、前記タッチスクリーン２４によって表示する。前記表示メッセージは、外界環境パラメーター又は前記メインスクリーン２２に表示されるメッセージと同じであることができる。図４に示されたように、本実施形態において、前記補助機能モジュール７０は、外界環境温度値を採集する温度検出モジュールであって、温度センサー７００及びＡ/Ｄ変換ユニット７２０を備える。前記温度センサー７００は、外界環境温度を感知するために用いられ、この温度値はアナログ値である。前記Ａ/Ｄ変換ユニット７２０は、前記温度センサー７００及び前記タッチスクリーン２４に電気的に接続されており、前記温度センサー７００が検出した温度値をデジタル値に変換してから前記タッチスクリーン２４に伝送して表示する。前記補助機能モジュール７０は、自身及び前記タッチスクリーン２４に電気エネルギーを提供する独立な電源を有することができる。だから、前記メインスクリーン２２又は前記ホストが停止されても、前記タッチスクリーン２４は外界環境の温度値を表示することができる。
【００１７】
前記補助機能モジュール７０は、温度検出モジュールに限定されるものではなく、同期表示モジュールであることができ、即ち前記ホストから前記メインスクリーン２２に伝送する表示メッセージを前記タッチスクリーン２４に同期して表示することができる。例えば、前記メインスクリーン２２に画面を表示する際、前記タッチスクリーン２４は、前記同期表示モジュールによって同じ画面を表示することができる。だから、使用者が前記メインスクリーン２２を見たくない場合、前記タッチスクリーン２４によって対応する内容を見ることができる。
【００１８】
図５は、本発明の第二実施形態に係るコンピューターの斜視図である。本実施形態において、前記コンピューター１０は、３つのタッチスクリーン２４、２５、２６を備える。複数の前記タッチスクリーンは、前記コンピューター１０の異なる使用機能を起動するために用いられ、異なるパラメーターを調節するか又は異なる内容を表示する。例えば、前記タッチスクリーン２４は、前記コンピューター１０の文字処理機能を起動するために用いられ、前記タッチスクリーン２５は、前記コンピューター１０の音楽放送機能を起動するために用いられ、前記タッチスクリーン２６は、前記コンピューター１０のゲーム機能を起動するために用いられ、又は前記タッチスクリーン２５及び前記タッチスクリーン２６を同時にタッチして、他の使用機能を起動することができる。
【００１９】
本発明のコンピューター１０において、モニターに１つ又は複数のタッチスクリーンを設置し、且つ対応する判断モジュール４０、起動モジュール５０及び処理モジュール６０を設置することにより、使用者は前記タッチスクリーンをタッチして、前記コンピューター１０の１つ又は複数の使用機能を起動することができ、且つ前記タッチスクリーンにベクトル方向を有するタッチ軌跡を形成して、前記コンピューター１０の１つのパラメーターの大きさを調節することができる。タッチスクリーンは前記ハウジング２０に設置されるので、前記メインスクリーン２２の表示を影響しない。又、タッチスクリーンでマウス又はキーパッドを取り替えて、前記コンピューター１０の構造が簡単になる。なお、前記コンピューター１０は、前記タッチスクリーン２４に電気的に接続される前記補助機能モジュール７０を備え、前記タッチスクリーン２４に使用者が要求するいろいろなメッセージを表示させる。
【００２０】
以上本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００２１】
１０  コンピューター
２０  ハウジング
２２  メインスクリーン
２４，２５，２６  タッチスクリーン
４０  判断モジュール
５０  起動モジュール
６０  処理モジュール
７０  補助機能モジュール
６２  軌跡識別ユニット
６４  制御ユニット
７００  温度センサー
７２０  Ａ/Ｄ変換ユニット
【図１】
2012089120.tif 000003
【図２】
2012089120.tif 000004
【図３】
2012089120.tif 000005
【図４】
2012089120.tif 000006
【図５】
2012089120.tif 000007